(57)【要約】  プリント板間の不完全な接続を検出する。  監視信号出力手段（１ａ）は、プリント板（１）に実装され、監視信号を出力する。監視信号受信手段（１ｂ）は、プリント板（１）またはプリント板（１）と接続されるプリント板（２）に実装され、監視信号出力手段（１ａ）が出力した監視信号を、所望の論理値で受信できたか否かを判断する。配線（１ｄ），（２ｂ），（１ｅ）は、プリント板（１）とプリント板（２）とを少なくとも１回跨いで、監視信号出力手段（１ａ）から出力される監視信号を監視信号受信手段（１ｂ）に伝達する。
2007091332.tif 000002
【特許請求の範囲】
【請求項１】
コネクタを介して接続されるプリント板の接続不良を検出する接続検出回路において、
第１のプリント板に実装される、監視信号を出力する監視信号出力手段と、
前記第１のプリント板または前記第１のプリント板と接続される第２のプリント板に実装される、前記監視信号を所望の論理値で受信できたか否かを判断する監視信号受信手段と、
前記第１のプリント板と前記第２のプリント板とを少なくとも１回跨いで、前記監視信号出力手段から出力される前記監視信号を前記監視信号受信手段に伝達する配線と、
を有することを特徴とする接続検出回路。
【請求項２】
前記監視信号は、クロック信号であり、
前記監視信号受信手段は、前記クロック信号の論理値が交番して受信できたか否かを判断することを特徴とする請求の範囲第１項記載の接続検出回路。
【請求項３】
前記監視信号は、ＰＮパターン信号であり、
前記監視信号受信手段は、前記ＰＮパターン信号の論理値が受信すべきＰＮパターンで受信できたか否かを判断することを特徴とする請求の範囲第１項記載の接続検出回路。
【請求項４】
前記監視信号受信手段は、前記監視信号の周波数より大きい周波数で前記監視信号をサンプリングすることを特徴とする請求の範囲第１項記載の接続検出回路。
【請求項５】
前記監視信号出力手段および前記監視信号受信手段のインピーダンスと前記配線のインピーダンスとは、整合していないことを特徴とする請求の範囲第１項記載の接続検出回路。
【請求項６】
前記監視信号の周波数は、前記第１のプリント板と前記第２のプリント板との間で送受信される信号の周波数より大きいことを特徴とする請求の範囲第１項記載の接続検出回路。
【請求項７】
前記監視信号は、差動信号であることを特徴とする請求の範囲第１項記載の接続検出回路。
【請求項８】
前記差動信号のぞれぞれの極の信号が伝達する前記配線は、線路長が異なることを特徴とする請求の範囲第７項記載の接続検出回路。
【請求項９】
前記差動信号はＬＶＤＳであり、終端抵抗には１００Ω以外の抵抗値の抵抗を用いることを特徴とする請求の範囲第７項記載の接続検出回路。
【請求項１０】
前記監視信号出力手段、前記監視信号受信手段、および前記配線は、複数であることを特徴とする請求の範囲第１項記載の接続検出回路。
【請求項１１】
前記監視信号受信手段は複数であり、
前記配線は、前記監視信号出力手段から複数分岐して、前記監視信号を複数の前記監視信号受信手段に伝達することを特徴とする請求の範囲第１項記載の接続検出回路。
【発明の詳細な説明】
【技術分野】
【０００１】
本発明は接続検出回路に関し、特にコネクタを介して接続されるプリント板の接続不良を検出する接続検出回路に関する。
【背景技術】
【０００２】
電子機器では、複数のプリント板をコネクタで接続し、プリント板間の信号を、コネクタを介して疎通させることがある。従来、プリント板間の接続不良を検出する方法として、一定の電圧を一方のプリント板から他方のプリント板に渡し、再び一方のプリント板に戻して、その電圧を監視するという方法があった。【０００３】
図１６は、プリント板が接続される前の従来の接続検出回路の回路図である。図にはプリント板１２０，１３０が示してある。プリント板１２０は、ＤＣレベル検出部１２１、コネクタ１２２、抵抗Ｒ１０１、および配線１２３，１２４を有している。プリント板１３０は、コネクタ１３１および配線１３２を有している。【０００４】
プリント板１２０の抵抗Ｒ１０１は、一端が電源Ｖｃｃに接続され、他端は配線１２３に接続されている。配線１２３は、コネクタ１２２に接続され、また、ＤＣレベル検出部１２１に接続されている。【０００５】
ＤＣレベル検出部１２１は、配線１２３の電圧を直流的に検出する。具体的には、ＤＣレベル検出部１２１は、配線１２３の電圧がグランドレベルであるか、電源Ｖｃｃの正の電圧であるＶｃｃレベルであるかを検出する。配線１２４は、一端がコネクタに接続され、他端はグランドに接続されている。【０００６】
プリント板１３０のコネクタ１３１は、プリント板１２０のコネクタ１２２と嵌合するようになっている。配線１３２の一端は、コネクタ１２２とコネクタ１３１が嵌合したとき、プリント板１２０の配線１２３と接続するようにコネクタ１３１に接続されている。配線１３２の他端は、コネクタ１２２とコネクタ１３１が嵌合したとき、プリント板１２０の配線１２４と接続するようにコネクタ１３１に接続されている。【０００７】
図１７は、プリント板が接続されたときの従来の接続検出回路の回路図である。図１７において、図１６と同じものには、同じ符号を付し、その説明を省略する。
図に示すように、コネクタ１２２とコネクタ１３１とが嵌合すると、配線１２３は、配線１３２，１２４を介して、グランドに接続されることになる。抵抗Ｒ１０１には、電位差が生じ、配線１２３の電圧はグランドレベルとなる。【０００８】
これに対し、図１６に示すように、コネクタ１２２とコネクタ１３１とが嵌合されていない場合、配線１２３の電圧は、Ｖｃｃレベルとなる。従って、配線１２３の電圧レベルを、ＤＣレベル検出部１２１によって検出することにより、コネクタ１２２，１３１の接続の有無を検出することができる。【０００９】
図１８は、配線の電圧変化を示した図である。図に示すように、時間ｔにおいて、図１６，１７に示したコネクタ１２２とコネクタ１３１とが嵌合されると、配線１２３の電圧レベルは、Ｖｃｃレベルからグランドレベルに変化する。前述したように、配線１２３の電圧レベルを、ＤＣレベル検出部１２１によって検出することにより、コネクタ１２２，１３１の接続の有無を検出することができる。【００１０】
ところで、高速信号を伝送させる場合、送信素子、プリント板上の配線、コネクタ、受信素子など、全ての要素において、インピーダンスを等しくしておく必要がある（インピーダンス整合）。高速信号伝送では、インピーダンスに不整合が生じると、信号波形が劣化してしまい、疎通エラーを起こしてしまうからである。【００１１】
図１９は、インピーダンス整合時の信号波形を示した図である。図２０は、インピーダンス不整合時の信号波形を示した図である。図２０の波形Ｗ１０２に示すように、インピーダンスの整合が取れていないと、図１９のインピーダンス整合が取れている場合の波形Ｗ１０１に比べ、信号にリンギングが乗ってしまう。【００１２】
通常、コネクタにおけるインピーダンスは、完全に嵌合した状態で保証される。従って、コネクタ同士が斜めに接続されたり半挿しで接続されたり不完全な状態で接続されると、インピーダンスに不整合が生じる。【００１３】
図２１は、斜めに接続されたコネクタの側面図である。図には、プリント板１４１およびプリント板１４１に実装されたコネクタ１４２が示してある。また、プリント板１４３およびプリント板１４３に実装されたコネクタ１４４が示してある。【００１４】
図２２は、半挿しで接続されたコネクタの断面図である。図には、プリント板１５１およびプリント板１５１に実装されたコネクタ１５２，１５３が示してある。また、プリント板１５４およびプリント板１５４に実装されたコネクタ１５５，１５６が示してある。【００１５】
図２１に示すように、コネクタが斜めに接続されたり、図２２に示すように、半挿しで接続されたりすると、コネクタ端子の接触面積が小さくなり、インピーダンスに不整合が生じる。また、コネクタ端子間に空間が生じ、容量が発生して、インピーダンスに不整合が生じる。【００１６】
インピーダンスに不整合が生じると、図２０に示したように信号にリンギングが乗ってしまい、プリント板間で信号が疎通しない場合が生じる。
なお、従来、高周波信号の特性を利用して、装置内部における基板とその付属機器との間の接続不良を検出する接続検出回路が提案されている（例えば、特許文献１参照）。
【特許文献１】特開２００５−３４５２０９号公報
【発明の開示】
【発明が解決しようとする課題】
【００１７】
しかし、従来の接続検出回路では、コネクタの完全な接続および抜けについては検出できるが、不完全な接続状態を検出することができない。すなわち、インピーダンスの整合が取れていない不完全な接続でも、プリント板同士は接続されていると判断してしまい、信号が疎通しない場合があるという問題点があった。【００１８】
本発明はこのような点に鑑みてなされたものであり、プリント板間の不完全な接続状態を検出することが可能な接続検出回路を提供することを目的とする。
【課題を解決するための手段】
【００１９】
本発明では上記問題を解決するために、図１に示すようなコネクタ１ｃ，２ａを介して接続されるプリント板１，２の接続不良を検出する接続検出回路において、第１のプリント板１に実装される、監視信号を出力する監視信号出力手段１ａと、第１のプリント板１または第１のプリント板１と接続される第２のプリント板２に実装される、監視信号を所望の論理値で受信できたか否かを判断する監視信号受信手段１ｂと、第１のプリント板１と第２のプリント板２とを少なくとも１回跨いで、監視信号出力手段１ａから出力される監視信号を監視信号受信手段１ｂに伝達する配線１ｄ，２ｂ，１ｅと、を有することを特徴とする接続検出回路が提供される。【００２０】
このような接続検出回路によれば、監視信号出力手段１ａが出力する監視信号は、第１のプリント板１と第２のプリント板２とを少なくとも１回跨ぐ配線１ｄ，２ｂ，１ｅによって、監視信号受信手段１ｂに受信される。そして、監視信号受信手段１ｂは、監視信号を所望の論理値で受信できたか否かを判断する。【００２１】
これにより、監視信号受信手段１ｂは、第１のプリント板１と第２のプリント板２とが不完全な状態で接続されると、インピーダンスの不整合によって、監視信号を所望の論理値で受信できなくなる。
【発明の効果】
【００２２】
本発明の接続検出回路では、監視信号出力手段が出力する監視信号は、第１のプリント板と第２のプリント板とを少なくとも１回跨ぐ配線によって、監視信号受信手段で受信される。そして、監視信号受信手段は、監視信号を所望の論理値で受信できたか否かを判断するようにした。【００２３】
これによって、監視信号受信手段は、第１のプリント板と第２のプリント板とが不完全な状態で接続されると、インピーダンスの不整合によって、監視信号を所望の論理値で受信できなくなり、プリント板の不完全な接続を検出することができるようになる。【００２４】
本発明の上記および他の目的、特徴および利点は本発明の例として好ましい実施の形態を表す添付の図面と関連した以下の説明により明らかになるであろう。
【図面の簡単な説明】
【００２５】
【図１】接続検出回路の概要を示した図である。
【図２】第１の実施の形態に係る接続検出回路のブロック図である。
【図３】監視信号出力部と監視信号受信部の詳細なブロック図である。
【図４】監視信号出力部と監視信号受信部の詳細なブロック図の他の例である。
【図５】監視信号受信部の監視信号のサンプリングを説明する図である。
【図６】プリント板のインピーダンスを説明する図である。
【図７】周波数が小さい場合のインピーダンス不整合の影響を説明する図である。
【図８】周波数が大きい場合のインピーダンス不整合の影響を説明する図である。
【図９】第２の実施の形態に係る接続検出回路のブロック図である。
【図１０】コネクタが完全に接続されている場合の監視信号の波形を示した図である。
【図１１】コネクタが不完全な状態で接続された場合の監視信号の波形を示した図である。
【図１２】監視信号にＬＶＤＳを適用した場合の接続検出回路のブロック図である。
【図１３】第３の実施の形態に係る接続検出回路のブロック図である。
【図１４】第４の実施の形態に係る接続検出回路のブロック図である。
【図１５】第５の実施の形態に係る接続検出回路のブロック図である。
【図１６】プリント板が接続される前の従来の接続検出回路の回路図である。
【図１７】プリント板が接続されたときの従来の接続検出回路の回路図である。
【図１８】配線の電圧変化を示した図である。
【図１９】インピーダンス整合時の信号波形を示した図である。
【図２０】インピーダンス不整合時の信号波形を示した図である。
【図２１】斜めに接続されたコネクタの側面図である。
【図２２】半挿しで接続されたコネクタの断面図である。
【発明を実施するための最良の形態】
【００２６】
以下、本発明の原理を、図面を参照して詳細に説明する。
図１は、接続検出回路の概要を示した図である。図には、プリント板１およびプリント板２が示してある。プリント板１およびプリント板２は、それぞれコネクタ１ｃ，２ａが実装されており、コネクタ１ｃ，２ａの嵌合によって電気的に接続される。【００２７】
監視信号出力手段１ａは、プリント板１に実装されている。監視信号出力手段１ａは、監視信号を出力する。監視信号は、例えば、‘０’，‘１’が交番するクロック信号である。【００２８】
監視信号受信手段１ｂは、プリント板１またはプリント板２に実装される。図１の例では、プリント板１に実装されている。監視信号受信手段１ｂは、監視信号出力手段１ａが出力する監視信号を、所望の論理値で受信できたか否かを判断する。例えば、監視信号が上記のクロック信号の場合、監視信号受信手段１ｂは、監視信号を‘０’，‘１’の交番する論理値で受信できたか否かを判断する。【００２９】
配線１ｄ，２ｂ，１ｅは、プリント板１とプリント板２とがコネクタ１ｃ，２ａを介して接続されたとき、監視信号出力手段１ａの出力と、監視信号受信手段１ｂの入力とを結ぶ。これによって、監視信号出力手段１ａから出力される監視信号は、監視信号受信手段１ｂに伝達される。配線１ｄ，２ｂ，１ｅは、プリント板１とプリント板２とが接続されたとき、プリント板１とプリント板２とを少なくとも１回跨ぐように配線される。図１の例では、配線１ｄ，２ｂ，１ｅは、プリント板１とプリント板２とを２回跨いでいる。【００３０】
プリント板１とプリント板２とが不完全な状態、つまり、コネクタ１ｃとコネクタ２ａとが不完全な状態で接続されると、監視信号出力部１ａと監視信号受信部１ｂとの間でインピーダンスの不整合が生じる。これによって、監視信号出力手段１ａから出力される監視信号にリンギングが生じ、監視信号受信手段１ｂは、所望の論理値を受信できなくなる。監視信号を上記で述べたクロック信号とすると、監視信号受信手段１ｂは、クロック信号の論理値を‘０’，‘１’と交番して受信できなくなる。【００３１】
このように、監視信号出力手段１ａが出力する監視信号は、プリント板１とプリント板２とを少なくとも１回跨ぐ配線１ｄ，２ｂ，１ｅによって、監視信号受信手段１ｂに受信されるようにした。そして、監視信号受信手段１ｂは、監視信号を所望の論理値で受信できたか否かを判断するようにした。【００３２】
これによって、監視信号受信手段１ｂは、プリント板１とプリント板２とが不完全な状態で接続されると、インピーダンスの不整合によって、監視信号を所望の論理値で受信できなくなり、プリント板１，２の不完全な接続を検出することができるようになる。【００３３】
次に、本発明の第１の実施の形態を、図面を参照して詳細に説明する。
図２は、第１の実施の形態に係る接続検出回路のブロック図である。図にはプリント板１０，２０が示してある。プリント板１０は、監視信号出力部１１、監視信号受信部１２、コネクタ１３、および配線１４，１５を有している。プリント板２０は、コネクタ２１および配線２２を有している。図のプリント板１０，２０は、例えば、伝送装置のプリント板であり、伝送装置のバックボードとそれに接続されるユニット基板とに対応する。または、プリント板１０，２０は、互いが接続されるユニット基板に対応する。【００３４】
プリント板１０の監視信号出力部１１は、コネクタ１３，２１（プリント板１０，２０）の接続状態を検出するための監視信号を出力する。監視信号は、例えば、‘０’，‘１’を示す方形波の信号である。【００３５】
監視信号受信部１２は、監視信号出力部１１が出力する監視信号が入力される。監視信号受信部１２は、所望の監視信号、例えば、所望の‘０’，‘１’が受信できたか否かによって、プリント板１０とプリント板２０との接続状態を判断する。【００３６】
コネクタ１３は、プリント板１０に実装されている。配線１４は、一方が監視信号出力部１１の出力に接続され、他方は、コネクタ１３に接続されている。配線１５は、一方が監視信号受信部１２の入力に接続され、他方は、コネクタ１３に接続されている。【００３７】
コネクタ２１は、プリント板２０に実装されている。コネクタ２１は、プリント板１０のコネクタ１３と嵌合するようになっている。配線２２の一端は、コネクタ１３とコネクタ２１が嵌合したとき、プリント板１０の配線１４と接続するようにコネクタ２１に接続されている。配線２２の他端は、コネクタ１３とコネクタ２１が嵌合したとき、プリント板１０の配線１５と接続するようにコネクタ２１に接続されている。配線１４，１５，２２は、プリント板１０とプリント板２０が接続されたとき、プリント板１０とプリント板２０とを少なくとも１回跨ぐように配線される。【００３８】
コネクタ１３とコネクタ２１とが接続されると、監視信号出力部１１の出力は、配線１４、コネクタ１３，２１、配線２２、コネクタ２１，１３、配線１５を介して、監視信号受信部１２と接続される。すなわち、コネクタ１３とコネクタ２１とが接続されると、監視信号出力部１１から出力される監視信号は、監視信号受信部１２に入力される。監視信号受信部１２は、監視信号の‘０’，‘１’を検出することにより、プリント板１０とプリント板２０の接続状態を判断することができる。【００３９】
次に、図２の監視信号出力部１１と監視信号受信部１２の詳細について説明する。
図３は、監視信号出力部と監視信号受信部の詳細なブロック図である。図に示すように監視信号出力部１１は、クロック出力部１１ａおよびドライバ１１ｂを有している。監視信号受信部１２は、クロック受信部１２ａおよびドライバ１２ｂを有している。なお、図には、図２で示したプリント板１０およびプリント板１０に実装されているコネクタ１３も示してある。【００４０】
監視信号出力部１１のクロック出力部１１ａは、‘０’，‘１’の論理値が交番するクロックを生成する。ドライバ１１ｂは、クロック出力部１１ａによって生成されたクロックを増幅して出力する。【００４１】
監視信号受信部１２のドライバ１２ｂには、コネクタ１３とコネクタ２１とが接続されたとき、クロック出力部１１ａで生成されたクロックが入力される。ドライバ１２ｂは、入力されたクロックを増幅してクロック受信部１２ａに出力する。クロック受信部１２ａは、クロックの‘０’，‘１’を検出し、論理値‘０’，‘１’が交互に受信できているか否かを判断する。【００４２】
すなわち、クロック出力部１１ａからは、‘０’，‘１’の論理値が交互するクロックが出力されるので、コネクタ１３とコネクタ２１とが完全に接続されている場合、クロック受信部１２ａでは、‘０’，‘１’が交互に検出される。これに対し、コネクタ１３とコネクタ２１との接続が不完全な場合、クロックにリンギングが乗り、クロック受信部１２ａでは、‘０’，‘１’を交互に検出できなくなる。これによって、プリント板１０とプリント板２０との接続状態を検出することができる。【００４３】
次に、図２の監視信号出力部１１と監視信号受信部１２の他の例について詳細に説明する。
図４は、監視信号出力部と監視信号受信部の詳細なブロック図の他の例である。図に示すように監視信号出力部１１は、ＰＮ（Pseudo random Noise）信号出力部１１ｃおよびドライバ１１ｄを有している。監視信号受信部１２は、ＰＮ信号受信部１２ｃおよびドライバ１２ｄを有している。なお、図には、図２で示したプリント板１０およびプリント板１０に実装されているコネクタ１３も示してある。【００４４】
監視信号出力部１１のＰＮ信号出力部１１ｃは、ＰＮパターンのクロックを生成する。ＰＮ信号出力部１１ｃは、設計時などで予め決められた段数および周波数のＰＮパターンのクロックを出力する。ドライバ１１ｄは、ＰＮ信号出力部１１ｃによって生成されたＰＮパターンのクロックを増幅して出力する。【００４５】
監視信号受信部１２のドライバ１２ｄには、コネクタ１３とコネクタ２１とが接続されたとき、ＰＮ信号出力部１１ｃで生成されたＰＮパターンのクロックが入力される。ドライバ１２ｄは、入力されたクロックを増幅してＰＮ信号受信部１２ｃに出力する。ＰＮ信号受信部１２ｃは、設計時などで予め決められた、ＰＮ信号出力部１１ｃと同じ段数および同じ周波数のＰＮパターンのクロックを生成する。ＰＮ信号受信部１２ｃは、生成したクロックのＰＮパターンと、ドライバ１２ｄから出力されるクロックのＰＮパターンとを比較し、一致するか否かを判断する。【００４６】
すなわち、ＰＮ信号受信部１２ｃは、ＰＮ信号出力部１１ｃと同じＰＮパターンのクロックを生成し、受信したクロックのＰＮパターンと比較するので、コネクタ１３とコネクタ２１とが完全に接続されている場合、クロックのＰＮパターンは一致する。これに対し、コネクタ１３とコネクタ２１との接続が不完全な場合、クロックにリンギングが乗り、クロックのＰＮパターンの不一致が生じる。これによって、プリント板１０とプリント板２０との接続状態を検出することができる。【００４７】
次に、図２の監視信号受信部１２の、監視信号のサンプリングについて説明する。
図５は、監視信号受信部の監視信号のサンプリングを説明する図である。図には、監視信号受信部１２で受信される監視信号と、監視信号の‘０’，‘１’の判断を行なうタイミングを示したサンプリングクロックとを示している。監視信号受信部１２は、例えば、サンプリングクロックの立上りにおいて、監視信号の‘０’，‘１’を判断する。【００４８】
図に示すようにサンプリングクロックの周波数を監視信号の周波数より大きくすることにより、監視信号の１ビット中で複数回サンプリングを行なうようにする。これにより、コネクタ１３とコネクタ２１の不完全な接続によって生じた監視信号の波形の乱れ（リンギング）を検出することができ、検出感度を高めることができる。【００４９】
なお、上記では、図２の監視信号受信部１２について説明したが、もちろん、図３で示したクロック受信部１２ａ、図４で示したＰＮ信号受信部１２ｃにおいても同様のサンプリングをすることができる。【００５０】
次に、図２のプリント板１０，２０のインピーダンスについて説明する。
図６は、プリント板のインピーダンスを説明する図である。図において、図２と同じものには同じ符号を付し、その説明を省略する。【００５１】
プリント板１０とプリント板２０との間では、信号のやり取りが行われている。例えば、信号は、図に示すプリント板１０の送信素子１６ａ，１６ｂ，…，１６ｎから出力され、プリント板２０の受信素子２３ａ，２３ｂ，…，２３ｎで受信される。送信素子１６ａ，１６ｂ，…，１６ｎの出力する信号の周波数は、インピーダンス整合が必要な周波数であり、例えば、１００ＭＨｚである。同様に、監視信号出力部１１の出力する監視信号も、インピーダンス整合が必要な周波数であり、送信素子１６ａ，１６ｂ，…，１６ｎの出力する信号と同じ周波数である。【００５２】
送信素子１６ａ，１６ｂ，…，１６ｎおよび受信素子２３ａ，２３ｂ，…，２３ｎのインピーダンスと、送信素子１６ａ，１６ｂ，…，１６ｎと受信素子２３ａ，２３ｂ，…，２３ｎとの間を結ぶ伝送路（配線）のインピーダンス（特性インピーダンス）は、整合するように設計する。図１９，２０で説明したように、信号にリンギングが乗り、適正に信号を送受信できなくなるからである。【００５３】
これに対し、監視信号出力部１１および監視信号受信部１２のインピーダンスと、監視信号出力部１１と監視信号受信部１２との間を結ぶ伝送路の特性インピーダンスは、不整合となるように設計する。ただし、インピーダンスの不整合は、コネクタ１３とコネクタ２１とが完全に接続されたとき、監視信号受信部１２が監視信号の‘０’，‘１’を適正に判断できる範囲とする。【００５４】
つまり、コネクタ１３とコネクタ２１が、例えば、図２１，２２で示したように、不完全な状態で接続されたとき、監視信号を信号よりもインピーダンスの不整合による影響を受けやすくする。そして、コネクタ１３とコネクタ２１の不完全な接続を検出しやすくする。【００５５】
例えば、送信素子１６ａ，１６ｂ，…，１６ｎ、受信素子２３ａ，２３ｂ，…，２３ｎ、監視信号出力部１１、および監視信号受信部１２のインピーダンスを５０Ωとする。この場合、送信素子１６ａ，１６ｂ，…，１６ｎと受信素子２３ａ，２３ｂ，…，２３ｎとの間の伝送路の特性インピーダンスは、５０Ωとする。監視信号出力部１１と監視信号受信部１２との間の伝送路の特性インピーダンスは、４０Ωまたは６０Ωとする。【００５６】
もちろん、監視信号出力部１１および監視信号受信部１２のインピーダンスと、監視信号出力部１１と監視信号受信部１２との間を結ぶ伝送路の特性インピーダンスは、整合するように設計してもよい。この場合でも、コネクタ１３とコネクタ２１とが不完全な状態で接続されると、インピーダンスの整合がくずれるため、監視信号にリンギングが乗り、コネクタ１３とコネクタ２１の接続状態を検出することができる。【００５７】
ところで、上記では、監視信号の周波数は、信号の周波数と同じであるとした。しかし、監視信号の周波数を、信号の周波数より大きくしてもよい。これによって、監視信号は、コネクタ１３とコネクタ２１の不完全な接続によるインピーダンスの不整合によって、リンギングの影響を受けやすくなり、コネクタ１３とコネクタ２１の不完全な接続状態を検出しやすくする。【００５８】
図７は、周波数が小さい場合のインピーダンス不整合の影響を説明する図である。図には、監視信号出力部１１から出力される監視信号と、監視信号受信部１２に受信される監視信号とが示してある。【００５９】
図の拡大図３１に示すように、監視信号出力部１１から出力される監視信号の周波数が小さいと、監視信号の立上りおよび立下りは緩やかである。従って、コネクタ１３とコネクタ２１の不完全な接続によって、インピーダンスの不整合が生じても、監視信号受信部１２に受信される監視信号は、リンギングの影響が少ない。【００６０】
図８は、周波数が大きい場合のインピーダンス不整合の影響を説明する図である。図には、監視信号出力部１１から出力される監視信号と、監視信号受信部１２に受信される監視信号とが示してある。【００６１】
図の拡大図３２に示すように、監視信号出力部１１から出力される監視信号の周波数が大きいと、監視信号の立上りおよび立下りは急峻となる。従って、コネクタ１３とコネクタ２１の不完全な接続によって、インピーダンスの不整合が生じると、監視信号受信部１２に受信される監視信号は、リンギングの影響が大きくなる。【００６２】
このように、監視信号の周波数を信号の周波数より大きくして、インピーダンスの不整合によるリンギングの影響を受けやすくすることにより、コネクタ１３とコネクタ２１の不完全な接続を検出しやすくすることができる。【００６３】
このように、監視信号出力部１１が出力する監視信号は、プリント板１０とプリント板２０とを少なくとも１回跨ぐ配線１４，２２，１５によって、監視信号受信部１２に受信されるようにした。そして、監視信号受信部１２は、監視信号を所望の論理値で受信できたか否かを判断するようにした。【００６４】
これによって、監視信号受信部１２は、プリント板１０とプリント板２０とが不完全な状態で接続されると、インピーダンスの不整合によって、監視信号を所望の論理値で受信できなくなり、プリント板１０，２０間の不完全な接続を検出することができるようになる。【００６５】
また、インピーダンスを定量的に測定することなく、コネクタ１３とコネクタ２１の不完全な接続を検出するので、インピーダンスを測定するための回路や機器は不要である。
なお、図２では、監視信号出力部１１と監視信号受信部１２とを、同じプリント板１０に設けるようにしたが、別々のプリント板に設けるようにしてもよい。例えば、監視信号受信部１２をプリント板２０に設けるようにしてもよい。【００６６】
また、コネクタ１３とコネクタ２１との間を、コネクタ１３と嵌合するコネクタと、コネクタ２１と嵌合するコネクタとを備えたケーブルで接続するようにしてもよい。この場合も、コネクタ間の不完全な接続によって生じるインピーダンスの不整合によって、監視信号受信部１２は、監視信号を所望の論理値で受信できなくなり、プリント板１０，２０間の不完全な接続を検出することができる。【００６７】
次に、本発明の第２の実施の形態を、図面を参照して詳細に説明する。第２の実施の形態では、監視信号に差動信号を用いる。
図９は、第２の実施の形態に係る接続検出回路のブロック図である。図にはプリント板４０，５０が示してある。プリント板４０は、監視信号出力部４１、監視信号受信部４２、コネクタ４３、および配線４４〜４７を有している。プリント板５０は、コネクタ５１および配線５２，５３を有している。図のプリント板４０，５０は、例えば、伝送装置のプリント板であり、伝送装置のバックボードとそれに接続されるユニット基板とに対応する。または、プリント板４０，５０は、互いが接続されるユニット基板に対応する。【００６８】
プリント板４０の監視信号出力部４１は、図２で説明した監視信号出力部１１と同様の機能を有する。ただし、監視信号を差動信号で出力するところが異なる。
監視信号受信部４２は、図２で説明した監視信号受信部１２と同様の機能を有する。ただし、監視信号を差動信号で受信するところがことなる。【００６９】
コネクタ４３は、プリント板４０に実装されている。配線４４，４５は、一方が監視信号出力部４１の出力に接続され、他方は、コネクタ４３に接続されている。配線４６，４７は、一方が監視信号受信部４２の入力に接続され、他方は、コネクタ４３に接続されている。配線４４，４５および配線４６，４７は、差動の監視信号が伝送される。【００７０】
コネクタ５１は、プリント板５０に実装されている。コネクタ５１は、プリント板４０のコネクタ４３と嵌合するようになっている。配線５２，５３の一端は、コネクタ４３とコネクタ５１が嵌合したとき、プリント板４０の配線４４，４５と接続するようにコネクタ５１に接続されている。配線５２，５３の他端は、コネクタ４３とコネクタ５１が嵌合したとき、プリント板４０の配線４６，４７と接続するようにコネクタ５１に接続されている。配線４４〜４７，５２，５３は、プリント板４０とプリント板５０が接続されたとき、プリント板４０とプリント板５０とを少なくとも１回跨ぐように配線される。【００７１】
コネクタ４３とコネクタ５１とが接続されると、監視信号出力部４１の出力は、配線４４，４５、コネクタ４３，５１、配線５２，５３、コネクタ５１，４３、配線４６，４７を介して、監視信号受信部４２と接続される。すなわち、コネクタ４３とコネクタ５１とが接続されると、監視信号出力部４１の差動の監視信号は、監視信号受信部４２に入力される。監視信号受信部４２は、所望の論理値の監視信号を検出したか否かによって、プリント板４０とプリント板５０の接続状態を判断することができる。【００７２】
監視信号の伝送路は、差動のそれぞれの極で異なった長さとなっている。例えば、配線４４，５２，４６による伝送路は長さＬ１、配線４５，５３，４７による伝送路は長さＬ２となっている。このように、監視信号の差動間で遅延が生じるようにすることによって、インピーダンスの不整合による波形のゆれの影響を受けやすくし、プリント板４０とプリント板５０の不完全な接続を検出しやすくする。【００７３】
ここで、監視信号の差動間で遅延差がある場合の波形について説明する。
図１０は、コネクタが完全に接続されている場合の監視信号の波形を示した図である。コネクタ４３とコネクタ５１が完全に接続されている場合、インピーダンス整合が取れているため、監視信号の波形は、図に示すような波形となる。なお、監視信号受信部４２は、図の両矢印Ａ１の間において、監視信号の‘０’，‘１’を判定することができる。【００７４】
図１１は、コネクタが不完全な状態で接続された場合の監視信号の波形を示した図である。コネクタ４３とコネクタ５１が不完全な状態で接続された場合、インピーダンスの不整合によって、監視信号のそれぞれの極は、図に示すようにゆれる。【００７５】
これは、監視信号のそれぞれの極において伝送路の長さが異なるため、信号の伝達に時間差が生じるからである。これにより、監視信号の‘０’，‘１’を認識できる領域（アイパターン）は、図の両矢印Ａ２に示すように狭くなる。【００７６】
このように、監視信号のそれぞれの極において、伝送路の長さを異なるようにすることによって、プリント板４０とプリント板５０との不完全な状態の接続を検出しやすくすることができる。【００７７】
なお、監視信号のそれぞれの極における伝送路の長さが同じでも、コネクタ４３とコネクタ５１との不完全な状態の接続を検出することができる。
ところで、ＬＶＤＳ（Low Voltage Differential Signaling）では、差動信号のそれぞれの極における伝送路の特性インピーダンスを５０Ωとし、整合を取るため受信端に１００Ωの終端抵抗を挿入する。監視信号にＬＶＤＳを用いて、終端抵抗を１００Ω以外の値にすれば、図６で説明したのと同様に、インピーダンスの不整合状態とすることができる。【００７８】
図１２は、監視信号にＬＶＤＳを適用した場合の接続検出回路のブロック図である。図において、図９と同じものには同じ符号を付し、その説明を省略する。
図の接続検出回路では、ＬＶＤＳが適用されている。監視信号を受信する監視信号受信部４２には、終端抵抗Ｒ１が接続されている。【００７９】
ＬＶＤＳでは、終端抵抗Ｒ１の抵抗値を１００Ωにしなければならない。しかし、図の終端抵抗Ｒ１には、例えば、１００Ωとは異なる抵抗値の抵抗を用いる。ただし、終端抵抗Ｒ１の抵抗値は、コネクタ４３とコネクタ５１とが完全に接続されたとき、監視信号受信部４２が監視信号の‘０’，‘１’を適正に判断できる値とする。【００８０】
このように、終端抵抗Ｒ１の抵抗値を１００Ω以外の値とすることによって、監視信号をインピーダンスの不整合による影響を受けやすくすることにより、プリント板４０とプリント板５０の不完全な接続を検出しやすくする。【００８１】
以上のように、監視信号を差動にした場合においても、プリント板４０とプリント板５０の不完全な接続を検出することができる。
なお、図９，１２では、監視信号出力部４１と監視信号受信部４２とを、同じプリント板４０に設けるようにしたが、別々のプリント板に設けるようにしてもよい。例えば、監視信号受信部４２をプリント板５０に設けるようにしてもよい。【００８２】
また、第２の実施の形態においても、監視信号を、第１の実施の形態と同様に‘０’，‘１’が交互に変わるようにしてもよいし、ＰＮパターンとなるようにしてもよい。また、監視信号受信部４２の監視信号をサンプリングする周波数を、監視信号の周波数より大きくしてもよい。さらに、第１の実施の形態と同様に、監視信号の周波数を、信号の周波数より大きくしてもよい。【００８３】
次に、本発明の第３の実施の形態を、図面を参照して詳細に説明する。第１の実施の形態では、監視信号出力部と監視信号受信部はそれぞれ１つであったが、第３の実施の形態では、監視信号出力部と監視信号受信部を複数設ける。【００８４】
図１３は、第３の実施の形態に係る接続検出回路のブロック図である。図にはプリント板６０，７０が示してある。プリント板６０は、監視信号出力部６１ａ，６１ｂ，…，６１ｎ、コネクタ６２、および配線６３ａ，６３ｂ，…，６３ｎを有している。プリント板７０は、監視信号受信部７１ａ，７１ｂ，…，７１ｎ、コネクタ７２、および配線７３ａ，７３ｂ，…，７３ｎを有している。図のプリント板６０，７０は、例えば、伝送装置のプリント板であり、伝送装置のバックボードとそれに接続されるユニット基板とに対応する。または、プリント板６０，７０は、互いが接続されるユニット基板に対応する。【００８５】
プリント板６０の監視信号出力部６１ａ，６１ｂ，…，６１ｎは、図２で説明した監視信号出力部１１と同様の機能を有し、その説明を省略する。また、プリント板７０の監視信号受信部７１ａ，７１ｂ，…，７１ｎは、図２で説明した監視信号受信部１２と同様の機能を有し、その説明を省略する。【００８６】
配線６３ａの一端は、監視信号出力部６１ａの出力に接続され、他端はコネクタ６２に接続されている。同様に、配線６３ｂ，…，６３ｎの一端は、監視信号出力部６１ｂ，…，６１ｎの出力に接続され、他端はコネクタ６２に接続されている。【００８７】
配線７３ａの一端は、監視信号受信部７１ａの入力に接続され、他端はコネクタ７２に接続されている。同様に、配線７３ｂ，…，７３ｎの一端は、監視信号受信部７１ｂ，…，７１ｎの入力に接続され、他端はコネクタ７２に接続されている。【００８８】
コネクタ６２とコネクタ７２は、嵌合するようになっている。コネクタ６２とコネクタ７２が嵌合すると、配線６３ａと配線７３ａ、配線６３ｂと配線７３ｂ、…、配線６３ｎと配線７３ｎとが接続され、監視信号出力部６１ａと監視信号受信部７１ａ、監視信号出力部６１ｂと監視信号受信部７１ｂ、…、監視信号出力部６１ｎと監視信号受信部７１ｎとが接続される。配線６３ａ，６３ｂ，…，６３ｎと配線７３ａ，７３ｂ，…，７３ｎは、プリント板６０とプリント板７０が接続されたとき、プリント板６０とプリント板７０を少なくとも１回跨ぐように配線される。【００８９】
すなわち、コネクタ６２とコネクタ７２とが接続されると、監視信号出力部６１ａの監視信号は、監視信号受信部７１ａに入力される。監視信号出力部６１ｂの監視信号は、監視信号受信部７１ｂに入力される。以下、同様にして、監視信号出力部６１ｎの監視信号は、監視信号受信部７１ｎに入力される。監視信号受信部７１ａ，７１ｂ，…，７１ｎは、監視信号出力部６１ａ，６１ｂ，…，６１ｎから出力される監視信号を検出することにより、プリント板６０，７０の接続を検出することができる。【００９０】
このように、監視信号出力部６１ａ，６１ｂ，…，６１ｎと監視信号受信部７１ａ，７１ｂ，…，７１ｎとを複数設けることによっても、プリント板６０，７０の接続状態を検出することができる。【００９１】
なお、配線６３ａ，６３ｂ，…，６３ｎと配線７３ａ，７３ｂ，…，７３ｎは、コネクタ６２，７２の全体に均等におよぶように配置することが望ましい。具体的には、コネクタ６２，７２の一端（コネクタ６２，７２の図中上方）から他端（コネクタ６２，７２の図中下方）におよぶようにする。これにより、例えば、コネクタ６２，７２の図中下方のみが開いて、不完全な接続となった場合でも、プリント板６０，７０の不完全な接続を検出することが可能となる。【００９２】
また、監視信号出力部６１ａ，６１ｂ，…，６１ｎおよび監視信号受信部７１ａ，７１ｂ，…，７１ｎは、第２の実施の形態で説明したように、監視信号に差動信号を用いることもできる。【００９３】
次に、本発明の第４の実施の形態を、図面を参照して詳細に説明する。第４の実施の形態では、監視信号出力部と監視信号受信部とを結ぶ配線を蛇腹状に配置する。
図１４は、第４の実施の形態に係る接続検出回路のブロック図である。図にはプリント板８０，９０が示してある。プリント板８０は、監視信号出力部８１、監視信号受信部８２、コネクタ８３、および配線８４ａ，８４ｂ，…，８４ｍ，８４ｎを有している。プリント板９０は、コネクタ９１、および配線９２ａ，９２ｂ，…，９２ｎを有している。図のプリント板８０，９０は、例えば、伝送装置のプリント板であり、伝送装置のバックボードとそれに接続されるユニット基板とに対応する。または、プリント板８０，９０は、互いが接続されるユニット基板に対応する。【００９４】
プリント板８０の監視信号出力部８１は、図２で説明した監視信号出力部１１と同様の機能を有し、その説明を省略する。また、監視信号受信部８２は、図２で説明した監視信号受信部１２と同様の機能を有し、その説明を省略する。【００９５】
配線８４ａの一端は、監視信号出力部８１の出力に接続され、他端はコネクタ８３に接続されている。配線８４ｂ，…，８４ｍは、両端がコネクタ８３に接続されている。配線８４ｎの一端は、監視信号受信部８２の入力に接続され、他端はコネクタ８３に接続されている。【００９６】
配線９２ａの両端は、コネクタ９１に接続されている。同様に、配線９２ｂ，…，９２ｎの両端は、コネクタ９１に接続されている。
コネクタ８３とコネクタ９１は、嵌合するようになっている。コネクタ８３とコネクタ９１が嵌合すると、配線８４ａの他端と配線９２ａの一端が接続される。配線８４ｂの一端と配線９２ａの他端が接続される。配線８４ｂの他端と配線９２ｂの一端が接続される。以下同様にして、配線８４ｍの他端と配線９２ｎの一端、配線８４ｎの他端と配線９２ｎの他端が接続される。【００９７】
すなわち、コネクタ８３とコネクタ９１とが接続されると、配線８４ａ，８４ｂ，…，８４ｍ，８４ｎと配線９２ａ，９２ｂ，…，９２ｎは、コネクタ８３とコネクタ９１とを介して、蛇腹状となり、監視信号出力部８１の出力と監視信号受信部８２の入力とを結ぶ。監視信号受信部８２は、配線８４ａ，８４ｂ，…，８４ｎと配線９２ａ，９２ｂ，…，９２ｎを介して監視信号出力部８１から監視信号を検出することにより、プリント板８０とプリント板９０の接続を検出することができる。【００９８】
このように、配線８４ａ，８４ｂ，…，８４ｍ，８４ｎと配線９２ａ，９２ｂ，…，９２ｎとを、プリント板８０とプリント板９０が接続されたとき蛇腹状となるように配置し、監視信号出力部８１と監視信号受信部８２を結ぶことによっても、プリント板８０とプリント板９０の接続状態を検出することができる。【００９９】
なお、配線８４ａ，８４ｂ，…，８４ｍ，８４ｎと配線９２ａ，９２ｂ，…，９２ｎは、コネクタ８３，９１の全体に均等におよぶように配置することが望ましい。具体的には、コネクタ８３，９１の一端（コネクタ８３，９１の図中上方）から他端（コネクタ８３，９１の図中下方）に均等におよぶようにする。これにより、例えば、コネクタ８３，９１の図中下方のみが開いて、不完全な接続となった場合でも、プリント板８０，９０の不完全な接続を検出することが可能となる。【０１００】
なお、図１４では、監視信号受信部８２は、プリント板８０に設けられているが、プリント板９０に設けてもよい。
また、監視信号出力部８１および監視信号受信部８２は、第２の実施の形態で説明したように、監視信号に差動信号を用いることもできる。【０１０１】
次に、本発明の第５の実施の形態を、図面を参照して詳細に説明する。第５の実施の形態では、監視信号出力部を１つ設け、監視信号受信部を複数設ける。そして、１つの監視信号出力部から出力される監視信号が、複数の監視信号受信部に出力されるように、監視信号出力部の出力の配線を複数分岐させる。【０１０２】
図１５は、第５の実施の形態に係る接続検出回路のブロック図である。図にはプリント板１００，１１０が示してある。プリント板１００は、監視信号出力部１０１、コネクタ１０２、および配線１０３を有している。プリント板１１０は、監視信号受信部１１１ａ，１１１ｂ，…，１１１ｎ、コネクタ１１２、および配線１１３ａ，１１３ｂ，…，１１３ｎを有している。図のプリント板１００，１１０は、例えば、伝送装置のプリント板であり、伝送装置のバックボードとそれに接続されるユニット基板とに対応する。または、プリント板１００，１１０は、互いが接続されるユニット基板に対応する。【０１０３】
プリント板１００の監視信号出力部１０１は、図２で説明した監視信号出力部１１と同様の機能を有し、その説明を省略する。また、プリント板１１０の監視信号受信部１１１ａ，１１１ｂ，…，１１１ｎは、図２で説明した監視信号受信部１２と同様の機能を有し、その説明を省略する。【０１０４】
配線１０３の一端は、監視信号出力部１０１の出力に接続され、他端は複数分岐してコネクタ１０２に接続されている。
配線１１３ａの一端は、監視信号受信部１１１ａの入力に接続され、他端はコネクタ１１２に接続されている。配線１１３ｂの一端は、監視信号受信部１１１ｂの入力に接続され、他端はコネクタ１１２に接続されている。以下同様に、配線１１３ｎの一端は、監視信号受信部１１１ｎの入力に接続され、他端はコネクタ１１２に接続されている。【０１０５】
コネクタ１０２とコネクタ１１２は、嵌合するようになっている。コネクタ１０２とコネクタ１１２が嵌合すると、複数分岐した配線１０３のそれぞれの他端は、配線１１３ａ，１１３ｂ，…，１１３ｎの他端と接続される。【０１０６】
すなわち、コネクタ１０２とコネクタ１１２とが接続されると、監視信号出力部１０１の出力は、複数の監視信号受信部１１１ａ，１１１ｂ，…，１１１ｎの入力と接続される。監視信号受信部１１１ａ，１１１ｂ，１１１ｎは、配線１０３と配線１１３ａ，１１３ｂ，…，１１３ｎを介して監視信号出力部１０１から監視信号を検出することにより、プリント板１００とプリント板１１０の接続を検出することができる。【０１０７】
このように、監視信号出力部１０１に接続される配線１０３を複数分岐させ、プリント板１００とプリント板１１０とが接続されたとき、監視信号受信部１１１ａ，１１１ｂ，…，１１１ｎとを結ぶようにすることによっても、プリント板１００とプリント板１１０の接続状態を検出することができる。【０１０８】
なお、他端が複数に分岐した配線１０３と配線１１３ａ，１１３ｂ，…，１１３ｎは、コネクタ１０２，１１２の全体に均等におよぶように配置することが望ましい。具体的には、コネクタ１０２，１１２の一端（コネクタ１０２，１１２の図中上方）から他端（コネクタ１０２，１１２の図中下方）に均等におよぶようにする。これにより、例えば、コネクタ１０２，１１２の図中下方のみが開いて、不完全な接続となった場合でも、プリント板１００，１１０の不完全な接続を検出することが可能となる。【０１０９】
また、監視信号出力部１０１および監視信号受信部１１１ａ，１１１ｂ，…，１１１ｎは、第２の実施の形態で説明したように、監視信号に差動信号を用いることもできる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１１０】
１，２  プリント板
１ａ  監視信号出力手段
１ｂ  監視信号受信手段
１ｃ，２ａ  コネクタ
１ｄ，１ｅ，２ｂ  配線
【図１】
2007091332.tif 000003
【図２】
2007091332.tif 000004
【図３】
2007091332.tif 000005
【図４】
2007091332.tif 000006
【図５】
2007091332.tif 000007
【図６】
2007091332.tif 000008
【図７】
2007091332.tif 000009
【図８】
2007091332.tif 000010
【図９】
2007091332.tif 000011
【図１０】
2007091332.tif 000012
【図１１】
2007091332.tif 000013
【図１２】
2007091332.tif 000014
【図１３】
2007091332.tif 000015
【図１４】
2007091332.tif 000016
【図１５】
2007091332.tif 000017
【図１６】
2007091332.tif 000018
【図１７】
2007091332.tif 000019
【図１８】
2007091332.tif 000020
【図１９】
2007091332.tif 000021
【図２０】
2007091332.tif 000022
【図２１】
2007091332.tif 000023
【図２２】
2007091332.tif 000024
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
コネクタを介して接続されるプリント板の接続不良を検出する接続検出回路において、
第１のプリント板に実装される、監視信号を出力する監視信号出力手段と、
前記第１のプリント板または前記第１のプリント板と接続される第２のプリント板に実装される、前記監視信号を所望の論理値で受信できたか否かを判断する監視信号受信手段と、
前記第１のプリント板と前記第２のプリント板とを少なくとも１回跨いで、前記監視信号出力手段から出力される前記監視信号を前記監視信号受信手段に伝達する配線と、
を有することを特徴とする接続検出回路。
【請求項２】
前記監視信号は、クロック信号であり、
前記監視信号受信手段は、前記クロック信号の論理値が交番して受信できたか否かを判断することを特徴とする請求項１記載の接続検出回路。
【請求項３】
前記監視信号は、ＰＮパターン信号であり、
前記監視信号受信手段は、前記ＰＮパターン信号の論理値が受信すべきＰＮパターンで受信できたか否かを判断することを特徴とする請求項１記載の接続検出回路。
【請求項４】
前記監視信号出力手段および前記監視信号受信手段のインピーダンスと前記配線のインピーダンスとは、整合していないことを特徴とする請求項１記載の接続検出回路。
【請求項５】
前記監視信号の周波数は、前記第１のプリント板と前記第２のプリント板との間で送受信される信号の周波数より大きいことを特徴とする請求項１記載の接続検出回路。
【国際調査報告】
2007091332.tif 000025
2007091332.tif 000026
2007091332.tif 000027
2007091332.tif 000028